(57)【要約】      （修正有）【課題】電力供給の要否をコントロールし、ファンが停止している時は、同時にスタンバイ電力の供給を停止して、ファンの周辺素子が電力を消費し続けるのを回避するファンシステムを提供する。【解決手段】ファンシステム３は、入力信号Ｓ１及び電源出力Ｓ２を受けると共に、モーター３１、駆動装置３２及びスイッチコントロール装置３３を備える。駆動装置３２は、入力信号Ｓ１及び電源出力Ｓ２を受けると共に、その信号に基づいてモーター３１を駆動させる。スイッチコントロール装置３３は、コントロールユニット３３１及びスイッチユニット３３２を備える。このコントロールユニット３３１は初期設定値Ｄ２を有する。入力信号Ｓ１が初期設定値Ｄ２より小さい時、コントロールユニット３３１がコントロール信号Ｓ３を送信する。スイッチユニット３３２はそのコントロール信号Ｓ３に基づいて、電源出力Ｓ２の送信を停止させる。【選択図】図８
2008005695.tif 000002
【特許請求の範囲】
【請求項１】
モーターと、
前記モーターに電気的に接続され、電源出力を受けることによって前記モーターを駆動する駆動装置と、
入力信号を受けて前記駆動装置への前記電源出力の供給をコントロールするためのスイッチコントロール装置とを含み、
前記スイッチコントロール装置は、前記駆動装置への前記電源出力の供給をスイッチングするためのスイッチユニットと、前記入力信号を受けて前記スイッチユニットをコントロールするためのコントロールユニットとで構成され、
前記コントロールユニットは初期設定値を有し、前記入力信号と前記初期設定値とを比較することによりコントロール信号を前記スイッチユニットに送り、前記コントロール信号により前記スイッチユニットによる前記駆動装置への前記電源出力の供給をコントロールする、ファンシステム。
【請求項２】
前記初期設定値は前記ファンの最低回転速度値であることを特徴とする、請求項１に記載のファンシステム。
【請求項３】
前記入力信号はパルス幅調整信号（ＰＷＭ）あるいはカウント値であり、前記電源出力は電圧あるいは電流であることを特徴とする、請求項１に記載のファンシステム。
【請求項４】
前記コントロールユニットは、
その一端は電源出力を受け、他端は入力信号を受ける第一抵抗器と、
その一端は第一抵抗器の前記他端に電気的に接続され、その他端は接地される第二抵抗器と、
その一端は前記入力信号を受ける第三抵抗器と、
その一端は前記電源出力を受け、前記第一抵抗器の前記一端に電気的に接続される第四抵抗器と、
そのゲートは前記第三抵抗器の他端に電気的に接続され、そのドレインは前記第四電抵抗器の他端に電気的に接続され、そのソースは接地される第一トランジスタと、
その一端は前記第四抵抗器の前記他端及び前記第一トランジスタの前記ドレインに電気的に接続される第五抵抗器と、
その一端は前記第五抵抗器の前記他端に電気的に接続され、その他端は接地される第一コンデンサーとを備えることを特徴とする、請求項１に記載のファンシステム。
【請求項５】
前記コントロールユニットは、
その一端は前記電源出力を受け、その他端は前記入力信号を受ける第六抵抗器と、
その一端は前記第六抵抗器の前記他端に電気的に接続され、その他端は接地される第七抵抗器と、
その一端は電源出力を受ける第八抵抗器と、
その第一入力端子は前記第八抵抗器の前記他端に電気的に接続され、その第二入力端子は前記入力信号を受ける演算増幅器と、
その一端は前記演算増幅器の前記第一入力端子に電気的に接続され、その他端は接地される第九抵抗器と、
その一端は前記電源出力を受ける第十抵抗器と、
その一端は前記演算増幅器の出力端子に電気的に接続され、その他端は前記第十抵抗器の他端に電気的に接続される第十一抵抗器と、
その一端は前記第十一抵抗器の他端に電気的に接続され、その他端は接地されるコンデンサーを備えることを特徴とする、請求項１に記載のファンシステム。
【請求項６】
前記コントロールユニットはプロセッサーであることを特徴とする、請求項１に記載のファンシステム。
【請求項７】
前記プロセッサーはカウント素子を有し、前記入力信号のターンオン・サイクル数あるいはターンオン・パルス数をカウントすることを特徴とする、請求項６に記載のファンシステム。
【請求項８】
前記入力信号のターンオン・サイクル数をカウントする時、前記初期設定値はパルスサイクル数の値、あるいは、前記入力信号のターンオン・パルス数をカウントする時、前記初期設定値はパルス数の値であることを特徴とする、請求項７に記載のファンシステム。
【請求項９】
前記スイッチユニットは、
第二トランジスタを備え、そのゲートは前記コントロール信号を受け、そのソースは前記電源出力を受け、そのドレインは前記駆動装置に電気的に接続されることを特徴とする、請求項１に記載のファンシステム。
【請求項１０】
前記コントロール信号は高電位信号あるいは低電位信号であることを特徴とする、請求項１に記載のファンシステム。
【請求項１１】
前記入力信号は前記駆動装置から送信されることを特徴とする、請求項１に記載のファンシステム。
【発明の詳細な説明】
【技術分野】
【０００１】
本発明は、ファンシステムに関し、特に電源供給の要否をコントロールすることが可能なファンシステムに関する。
【背景技術】
【０００２】
電子設備に高い機能が要求されるに伴い、各種付属設備も多くなっている。電子設備がスタンバイ状態の時は、快速起動状態を維持するために、電子設備が使用するのに提供するための電力がわずかに保存される。電子設備がスタンバイ状態の時は、システムは作動を停止しているものの、電子設備（例えば、ファン）の周辺素子あるいは回路は、電子設備に残っている少量の電力を受けて、これを消耗する。そうすると、電子設備の品質及び電気の消費量に影響する。ノートブックパソコン等の電池等を必要とする製品も例外ではない。
【０００３】
ノートブックパソコンのファンを例に説明する。図１に示したように、従来のファンシステム１は、駆動コントロール装置１１、モーター１２及び複数のファンの周辺素子１３を有し、それぞれ外部から入力されるパルス幅調整信号（pulse width modulation, PWM）ＳPWM及び電源Ｖｄを受ける。この駆動コントロール装置１１は、ファンの運転を停止させる初期設定値Ｄ１を有する。ノートブックパソコンがスタンバイ状態で動作が停止される時、このパルス幅調整信号ＳPWMは初期設定値Ｄ１より低く、駆動コントロール装置１１がモーター１２の運転を停止させる。
【発明の開示】
【発明が解決しようとする課題】
【０００４】
しかしながら、モーター１２が運転を停止していても、少量の電力がファンシステム１に送られているため、これらの周辺素子１３はやはり電力を消費し続ける。ノートブックパソコンが電池によって電力が供給される場合、これらの周辺素子１３は電池の電力を徐々に使い果し、ノートブックをただちに起動あるいは使用することができないという状況が発生する。
【０００５】
上述のような状況は、ノートブックパソコンだけに限らず、その他の電池を使用して電力供給する様々な電子設備あるいは製品でも、同様の状況が発生する可能性がある。スタンバイあるいはシャットダウンの場合でも、ファンの周辺素子は電力を消費し続けているため、電子設備あるいは製品は、最終的には電池を消耗し切って、直ちに起動あるいは使用することができない。このため、消費電力量を重視する電子設備あるいは製品に与える影響は非常に大きく、使用効率が悪くなるだけでなく、電力の浪費にもつながる。
【０００６】
本発明は、電力供給の要否をコントロールし、ファンが停止している時は、同時に電力の供給を停止して、ファンの周辺素子が電力を消費し続けるのを回避するファンシステムを提供することを課題とする。
【課題を解決するための手段】
【０００７】
上述の課題を解決するために、本発明は電力供給の要否をコントロールして、ファンが低速あるいは停止状態の時、同時に電力の供給を停止することにより、ファンの周辺素子が電力を消費し続けるのを回避するファンシステムを提供することを目的とする。
【０００８】
上述の目的を達成するために、本発明のファンシステムは、入力信号及び電源出力を受けると共に、モーター、駆動装置及びスイッチコントロール装置を備えることを特徴とする。駆動装置は、モーターに電気的に接続されて、入力信号及び電源出力を受けると共に、その供給に基づいてモーターを駆動させる。スイッチコントロール装置は、駆動装置に電気的に接続されると共に、コントロールユニット及びスイッチユニットを備える。このコントロールユニットは初期設定値を有し、入力信号及び電源出力を受ける。入力信号が初期設定値より小さい時、コントロールユニットがコントロール信号を送信する。スイッチユニットはコントロールユニットに電気的に接続され、コントロール信号を受けると共に、そのコントロール信号に基づいて、電源出力の供給を停止させる。
【０００９】
このように、本発明のファンシステムは、入力信号が初期設定値と直接比較、あるいは、入力信号のターンオン・パルス数あるいはターンオンサイクル数を計算する方式によって、さらに初期設定値と比較されることにより、入力信号が初期設定値より小さい時は、スイッチコントロール装置が電源出力を駆動装置に送信することを停止するか否かを判断して、モーターの運転を停止させる。従来の技術に比べ、本発明のファンシステムは、スイッチコントロール装置が入力信号と初期設定値とを比較することにより、ファンシステムの電源が切断された時、ただちにファンシステムにスタンバイ電力を提供することが停止されることにより、ファンシステム及びその周辺回路、周辺素子が無駄に電力を消耗するのを回避する。また、本発明は、パワー消費率が極めて低い電気回路から構成されており、回路全体の電流を低く抑えてコントロールするため、環境保護を目的とするグリーンエコロジーの精神に適合し、エネルギーの節約が可能である。
【発明の効果】
【００１０】
本発明のファンシステムは、スイッチコントロール装置が入力信号と初期設定値とを比較することにより、ファンシステムの電源が切断された時、ただちにファンシステムにスタンバイ電力を提供することが停止されることにより、ファンシステム及びその周辺回路、周辺素子が無駄に電力を消耗するのを回避する。また、本発明は、パワー消費率が極めて低い電気回路から構成されており、回路全体の電流を低く抑えてコントロールすることができる。したがって、環境保護を目的とするグリーンエコロジーの精神に適合し、エネルギーの節約が可能である。
【発明を実施するための最良の形態】
【００１１】
以下に、図を参照しながら、本発明の好適な実施例のファンシステムについて説明する。
【００１２】
図２に示したように、本発明の好適な実施例のスイッチコントロール装置２は、外部の入力信号Ｓ１及び電源出力Ｓ２を受け、スイッチコントロール装置２はコントロールユニット２１及びスイッチユニット２２を有する。本実施例の入力信号Ｓ１は、パルス幅調整信号（ＰＷＭ）あるいはカウント値であり、電源出力Ｓ２は電圧あるいは電流である。
【００１３】
コントロールユニット２１は初期設定値Ｄ２を有し、入力信号Ｓ１及び電源出力Ｓ２を受ける。同時に、図２及び図３を参照しながら説明する。本実施例において、入力信号Ｓ１がパルス幅調整信号である時、コントロールユニット２１は入力信号Ｓ１（図３の（ａ））と初期設定値Ｄ２（図３の（ｃ））を比較する。例えば、デューティー・サイクル（duty cycle）の比較である。入力信号Ｓ１の値が初期設定値Ｄ２より小さい時（図３の（ｂ）及び（ｃ）の比較）、コントロールユニット２１はコントロール信号Ｓ３を送信する。コントロールユニット２１は実際には特に制限はなく、コントロール回路あるいはプロセッサーでも可能である。
【００１４】
図４を参照しながら説明する。コントロールユニット２１がコントロール回路である時、このコントロール回路は第一抵抗器Ｒ１、第二抵抗器Ｒ２、第三抵抗器Ｒ３、第四抵抗器Ｒ４、第一トランジスタＱ１、第五抵抗器Ｒ５及び第一コンデンサーＣ１を備える。第一抵抗器Ｒ１の一端は電源出力Ｓ２を受け、他端は入力信号Ｓ１を受ける。第二抵抗器Ｒ２の一端は第一抵抗器Ｒ１の他端に電気的に接続され、他端は接地される。第三抵抗器Ｒ３の一端は入力信号Ｓ１を受ける。第四抵抗器Ｒ４の一端は電源出力Ｓ２を受け、第一抵抗器Ｒ１の一端に電気的に接続される。第一トランジスタＱ１のゲートは第三抵抗器Ｒ３の他端に、そのドレインは第四電抵抗器Ｒ４の他端に電気的に接続され、そのソースは接地される。第五抵抗器Ｒ５の一端は第四抵抗器Ｒ４の他端及び第一トランジスタＱ１のドレインに電気的に接続される。第一コンデンサーＣ１の一端は第五抵抗器Ｒ５の他端に電気的に接続され、その他端は接地される。本実施例において、第一抵抗器Ｒ１と第二抵抗器Ｒ２はバイアス効果を有する。第三抵抗器Ｒ３は電流を制限するためのものである。第一トランジスタＱ１は特に制限はなく、ここではＮＭＯＳトランジスタを例とする。
【００１５】
また、図５を参照しながら説明する。コントロールユニット２１が他のコントロール回路で実施される場合、このコントロール回路は、第六抵抗器Ｒ６、第七抵抗器Ｒ７、第八抵抗器Ｒ８、第九抵抗器Ｒ９、第十抵抗器Ｒ１０、第十一抵抗器Ｒ１１、演算増幅器ＯＰ及び第二コンデンサーＣ２を備える。第六抵抗器Ｒ６の一端は電源出力Ｓ２を受け、他端は入力信号Ｓ１を受ける。第七抵抗器Ｒ７の一端は第六抵抗器Ｒ６の他端に電気的に接続され、その他端は接地される。第八抵抗器Ｒ８の一端は電源出力Ｓ２を受ける。演算増幅器ＯＰの第一入力端子Ｉ１は第八抵抗器Ｒ８の他端に電気的に接続される。第二入力端子Ｉ２は入力信号Ｓ１を受ける。第九抵抗器Ｒ９の一端は演算増幅器ＯＰの第一入力端子Ｉ１に電気的に接続され、他端は接地される。第十抵抗器Ｒ１０の一端は電源出力Ｓ２を受ける。第十一抵抗器Ｒ１１の一端は演算増幅器ＯＰの出力端子Ｏに電気的に接続され、他端は第十抵抗器Ｒ１０の他端に電気的に接続される。第二コンデンサーＣ２の一端は第十一抵抗器Ｒ１１の他端に電気的に接続され、その他端は接地される。
【００１６】
本実施例において、コントロールユニット２１がプロセッサーである時、カウンティング素子２１１（図６に示す）を有する。この時、入力信号Ｓ１はカウント値である。このカウンティング素子２１１が入力信号Ｓ１のターンオン・パルス数（図７に示す）をカウントすることにより、入力信号Ｓ１がターンオン・パルス数である時、初期設定値Ｄ２はパルス数の値である（図７の(c)に示す）。
【００１７】
さらに、図２、図４、図６を参照しながら説明する。本実施例において、スイッチユニット２２はコントロールユニット２１に電気的に接続され、コントロール信号Ｓ３を受け、そのコントロール信号に基づいて、電源出力Ｓ２の送信を停止する。本実施例におけるスイッチユニット２２は特に制限はなく、第二トランジスタＱ２（図４あるいは図５に示す）でも可能である。第二トランジスタＱ２のゲートはコントロール信号Ｓ３を、そのソースは電源出力Ｓ２を受ける。そのドレインは駆動装置（図示はされない）に電気的に接続される。そして、第二トランジスタＱ２は特に制限はなく、ここではＰＭＯＳトランジスタを例とする。
【００１８】
本実施例のスイッチコントロール装置２の動作は以下の通りである。コントロールユニット２１はコントロール回路（図４に示す）であり、通常は入力信号Ｓ１は第一抵抗器Ｒ１及び第二抵抗器Ｒ２によって受け、バイアスされる。さらに、第三抵抗器Ｒ３で電流が制限された後、第一トランジスタＱ１に送られる。通常運転時、入力信号Ｓ１のデューティー・サイクル（例えば６０％）は初期設定値Ｄ２のデューティー・サイクル（例えば５０％）（図３の(a)と(c)を比較）より大きく、第一トランジスタＱ１は、ターンオフの時間がターンオンの時間より多くなって、第一コンデンサーＣ１は第五抵抗器Ｒ５及び第一トランジスタＱ１によって放電される時間が長くなることになる。この時、コントロール信号Ｓ３は低電位の信号で、スイッチユニット２２に送られる。入力信号Ｓ１のデューティーサイクル（例えば１０％）が初期設定値Ｄ２のデューティーサイクル（例えば５０％）（図３の（ｂ）と（ｃ）を比較）より大きい場合（スタンバイ状態）、第一トランジスタＱ１のターンオン時間はターンオフ時間よりはるかに少ない。電源出力Ｓ２は第四抵抗器Ｒ４及び第五抵抗器Ｒ５を経由することで、第一コンデンサーＣ１の充電時間を長くすることが可能である。さらに、この時、コントロール信号Ｓ３は高電位信号であり、スイッチユニット２２に送信される。
【００１９】
コントロールユニット２１が図５に示すコントロール回路である時、電源出力Ｓ２は第八抵抗器Ｒ８及び第九抵抗器Ｒ９を経た降下電圧の値を初期設定値Ｄ２とする。そして、演算増幅器ＯＰの第一入力端子Ｉ１に送られて受信される。入力信号S1は第六抵抗器Ｒ６及び第七抵抗器Ｒ７を経て電圧が降下され、演算増幅器ＯＰの第二入力端子Ｉ２に送られ、演算増幅器ＯＰによって比較される。通常運転時、入力信号Ｓ１（パルス幅調整信号）の電圧レベルが初期設定値Ｄ２より大きい時間が長くなる。故に、出力端子Ｏは第二コンデンサーＣ２をコントロールして、第十一抵抗器Ｒ１１を経て放電する時間も長くなる。コントロール信号Ｓ３はすなわち低電位信号で、スイッチユニット２２に送信される。逆に、演算増幅器ＯＰが比較して、入力信号Ｓ１（パルス幅調整信号）の電圧レベルが初期設定値Ｄ２より小さい時間が長い時（スタンバイ状態）、出力端子Ｏは第二コンデンサーＣ２をコントロールし、第十抵抗器Ｒ１０から電源出力Ｓ２を受信し、充電の時間も長くなる。この時、コントロール信号Ｓ３は高電位信号で、スイッチユニット２２に送信される。
【００２０】
図６を参照しながら説明する。コントロールユニット２１がプロセッサーである場合、このプロセッサーのカウント素子２１１は、デューティー・サイクルにおいてカウントされる入力信号Ｓ１のパルス数である。通常運転時には、入力信号Ｓ１のターンオン・パルス数が１２００（図７の（ａ））であり、初期設定値Ｄ２のパルス数値は１０００（図７の(c)）である。故に、入力信号Ｓ１のターンオン・パルス数は初期設定値Ｄ２のパルス数より大きく、コントロールユニット２１が送信する出力信号Ｓ３は低電位信号であり、スイッチユニット２に送信される。入力信号Ｓ１のターンオン・パルス数が８００（図７の（ｂ））である時（スタンバイ状態）、初期設定値Ｄ２のパルス数より小さく、コントロールユニット２１がアウトプットするコントロール信号Ｓ３は高電位信号である。
【００２１】
通常運転時において、スイッチユニット２２（図２、図４、図６に示す）が受けるコントロール信号Ｓ３が低電位信号となり、第二トランジスタＱ２はターン・オンの状態であり、電源出力Ｓ２はスイッチユニット２２を介して駆動装置に送信される。コントロール信号Ｓ３が高電位信号の時は、第二トランジスタＱ２はターン・オフの状態となり、スイッチユニット２２は通電せず、ただちに電源出力Ｓ２の送信を停止する。そして、入力信号Ｓ１のデューティー・サイクルが初期設定値Ｄ２のデューティー・サイクルより大きい時間が長い（図３に示す）か、あるいは、入力信号Ｓ１の電圧レベルが初期設定値Ｄ２より大きい時間が長いか、あるいはまた、入力信号Ｓ１のデューティー・サイクル内のターンオン・パルス数（図７に示す）が初期設定値Ｄ２のパルス数より大きい時、いずれもコントロール信号Ｓ３である低電位信号がスイッチユニット２２に送信されて、スイッチユニット２２に再び電源出力Ｓ２を送信させる。
【００２２】
スイッチコントロール装置２は、コントロールユニット２１を介して、入力信号Ｓ１と初期設定値Ｄ２を直接比較するか、あるいは、カウント素子２１１がカウント後、再び初期設定値Ｄ２と比較する。そして、入力信号Ｓ１のデューティー・サイクルが初期設定値Ｄ２より小さい時間が長い時、あるいは、入力信号Ｓ１の電圧レベルが初期設定値Ｄ２より小さい時間が長い時、あるいは、入力信号Ｓ１のターンオン・パルス数が初期設定値Ｄ２のパルス数より小さい時、上述の比較方式によって、コントロールユニット２１、３１がコントロール信号Ｓ３を発生、送信することで、スイッチユニット２２、３２がコントロール信号Ｓ３を受信し、この信号に基づいて、電源出力Ｓ２の送信が停止される。このような方式は、ファンシステムの電源が切断されている期間、スイッチコントロール装置２により、スタンバイ電力である電源出力Ｓ２が後半部分の回路に送信されるのを回避することができる。
【００２３】
上述の各実施例において、入力信号Ｓ１と初期設定値Ｄ２の比較方式には特に制限はなく、実際の状況に応じて、入力信号の大きさを設定して、電源出力Ｓ２を送信する動作を停止させることが可能である。
【００２４】
図８を参照しながら説明する。本発明の好適な実施例のファンシステム３は、外部からの入力信号Ｓ１及び電源出力Ｓ２を受けて、ファンシステム３はモーター３１、駆動装置３２及びスイッチコントロール装置３３を備える。本実施例において、駆動装置３２はそれぞれモーター３１及びスイッチコントロール装置３３に電気的に接続されて、入力信号Ｓ１及び電源出力Ｓ２を受け、その信号に基づいてモーター３１を駆動させる。
【００２５】
スイッチコントロール装置３３は、コントロールユニット３３１及びスイッチユニット３３２を有する。このうち、コントロールユニット３３１及びスイッチユニット３３２は、上述の好適な実施例のコントロールユニット２１及びスイッチユニット２２（図２に示す）と同様の構成、動作及び機能を有する。故に、ここでは説明しない。本実施例のコントロールユニット３３１はコントロール回路（図４あるいは図５に示す）あるいはプロセッサー（図６に示す）である。
【００２６】
本実施例のファンシステム３の動作は以下の通りである。通常運転時において、駆動装置３２は電源出力Ｓ２を受け、モーター３１を駆動させて回転させる。例えば、スタンバイ状態などの場合において、入力信号Ｓ１のデューティー・サイクルが初期設定値Ｄ２のデューティー・サイクルより小さい時間が長い時、スイッチコントロール装置３３は電源出力Ｓ２の送信を停止して、駆動装置３２が電源出力Ｓ２を受信できないことで、モーター３１を駆動して回転させることを停止する。そして、入力信号Ｓ１が初期設定値Ｄ２より大きい時間が長くなった時に、スイッチコントロール装置３３が再び電源出力Ｓ２を送信することにより、駆動装置３２が電源出力Ｓ２によってモーター３１を駆動させて回転させる。
【００２７】
また、上述のようにデューティー・サイクル、電圧レベルあるいはターンオン・パルス数によって、電源出力Ｓ２を駆動装置３２に送るか否かを判断する方法の外、実際には、コントロールユニット３３１も駆動装置３２によって、パルス幅調整信号のような入力信号が受信される。コントロールユニット３３１は一定のサイクル内において、入力信号のターンオン・サイクル数をカウントすることが可能である。そして、プロセッサーの初期設定値（これもターンオン・サイクルである）と比較して、初期設定値より小さい時、コントロールユニット３３１は、スイッチユニット３３２をシャットダウンさせて、電源出力Ｓ２を駆動装置３２に送るのを停止する。
【００２８】
このように、本発明のファンシステム及びそのスイッチコントロール装置は、入力信号と初期設定値とを比較、あるいは、カウント素子によって入力信号のターンオン・パルス数をカウント、あるいは、ターンオン・サイクル数を初期設定値と比較することにより、上述の方式によって、入力信号が初期設定値より小さい時、スイッチコントロール装置が電源出力を駆動装置に送るか否かを判断して、モーターを駆動して運転するのを停止させる。従来の技術に比べ、本発明のファンシステムは、スイッチコントロール装置によって入力信号と初期設定値を比較して、ファンシステムの電源が切断された時、ただちにファンシステムにスタンバイ電力を供給するのを停止することができるため、ファンシステム及びその周辺回路、素子が電源を消耗するのを回避することができる。また、本発明はパワー消費率が極めて低い回路によって構成されているため、回路全体の消費電流を低く抑えてコントロールすることができる。したがって、環境保護を目的とするグリーンエコロジーの精神に適合し、エネルギーの節約が可能である。
【００２９】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３０】
【図１】従来のファンシステムを示す図である。
【図２】本発明の好適な実施例のスイッチコントロール装置を示す図である。
【図３】本発明の好適な実施例のスイッチコントロール装置の、デューティー・サイクル（duty cycle）における入力信号及び初期設定値を示す図である。
【図４】本発明の好適な実施例のスイッチコントロール装置の、コントロールユニットがコントロール回路であることを示す図である。
【図５】本発明の好適な実施例のスイッチコントロール装置の、コントロールユニットが他のコントロール回路であることを示す図である。
【図６】本発明の好適な実施例のスイッチコントロール装置の、コントロールユニットが他のプロセッサーであることを示す図である。
【図７】本発明の好適な実施例のスイッチコントロール装置の、ターンオン期間（turn-on period）内において、入力信号のパルス数及び初期設定のターンオン・パルス数を比較した図である。
【図８】本発明の好適な実施例のファンシステムを示す図である。
【符号の説明】
【００３１】
１、３        ファンシステム
１１  駆動コントロール装置
１２、３１  モーター
１３  周辺素子
２、３３  スイッチコントロール装置
２１、３３１  コントロールユニット
２１１  カウンティング素子
２２、３３２  スイッチユニット
３２  駆動装置
Ｃ１  第一コンデンサー
Ｃ２  第二コンデンサー
Ｄ１、Ｄ２  初期設定値
Ｉ１  第一入力端子
Ｉ２  第二入力端子
ＯＰ  演算増幅器（オペアンプ）
Ｏ  出力端子
Ｑ１  第一トランジスタ
Ｑ２  第二トランジスタ
Ｒ１  第一抵抗器
Ｒ２  第二抵抗器
Ｒ３  第三抵抗器
Ｒ４  第四抵抗器
Ｒ５  第五抵抗器
Ｒ６  第六抵抗器
Ｒ７  第七抵抗器
Ｒ８  第八抵抗器
Ｒ９  第九抵抗器
Ｒ１０  第十抵抗器
Ｒ１１  第十一抵抗器
Ｓ１  入力信号
Ｓ２  電源出力
Ｓ３  コントロール信号
ＳPWM  パルス幅調整信号
Ｖｄ  電源
【図１】
2008005695.tif 000003
【図２】
2008005695.tif 000004
【図３】
2008005695.tif 000005
【図４】
2008005695.tif 000006
【図５】
2008005695.tif 000007
【図６】
2008005695.tif 000008
【図７】
2008005695.tif 000009
【図８】
2008005695.tif 000010